(57)【要約】【課題】  ガゼット袋自体に支持脚部の間隔保持機能を持たせることにより、連結部材や連結部を一切用いることなく容器本体を安定した状態で起立させることができ、部品点数と組立工数の削減および製造コストの低減を可能にした花卉搬送用容器を提供する。【解決手段】ガゼット袋１３と、このガゼット袋１３が裏面側に接着された容器本体１５とで花卉花搬送用容器１０を構成する。ガゼット袋１３は、折り畳まれた状態でその表面側フィルムと裏面側フィルムが容器本体１５の裏面側に接着されている。容器本体１５は、二つ折り可能な蓋部１５Ａと、この蓋部１５Ａの両側に折り曲げ可能に連結された左右一対の支持脚部１５Ｂ，１５Ｃとからなり、通常は山折り部２８に沿って二つ折りに折り畳まれることによりガゼット袋１３を挟み込んでおり、門型形状に開脚されるとガゼット袋１３を拡開させる。【選択図】  図４
2008137721.tif 000002
【特許請求の範囲】
【請求項１】
非透水性素材の折り畳み加工によって形成されることにより表面側フィルムと、裏面側フィルムと、これら両フィルムの両側縁間で折り畳まれた一対のガゼット折り込み部とを有し、両端が開放する袋素材を用意する工程と、
前記袋素材の両端を封止して底部側封止部と天部側封止部を形成する工程と、
一端が前記天部側封止部に接続するミシン目線からなる注水口用切断線を前記表面側フィルム、前記裏面側フィルムおよび前記ガゼット折り込み部に対して形成する工程と、
を含むことを特徴とする花卉搬送用ガゼット袋の製造方法。
【請求項２】
表面側フィルムと、裏面側フィルムと、これら両フィルムの側縁より内側にそれぞれ折り込まれた一対のガゼット折り込み部とを有して底部と天部がそれぞれ封止されるとともに、天部側封止部に注水口用切断線が形成された非透水性素材からなる花卉搬送用ガゼット袋であって、
前記注水口用切断線は、前記表面側フィルム、裏面側フィルムおよび一対のガゼット折り込み部の一部に対してミシン目線によって形成されていることを特徴とする花卉搬送用ガゼット袋。
【請求項３】
請求項２記載の花卉搬送用ガゼット袋において、
前記注水口用切断線は、その下端が前記天部側封止部に位置ずけられたＴ字状、Ｙ字状またはＶ字状であることを特徴とする花卉搬送用ガゼット袋。
【請求項４】
非透水性素材によって形成されたガゼット袋と、このガゼット袋が裏面側に接着された容器本体とを備え、
前記ガゼット袋は、折り畳まれた状態において表面側フィルムと、裏面側フィルムと、これら両フィルムの各側縁より内側にそれぞれ折り込まれた一対のガゼット折り込み部とを有し、両端部をそれぞれ封止することにより底部側封止部と天部側封止部とを形成し、前記天部側封止部にはミシン目線からなる注水口用切断線が前記表面側フィルムと、前記裏面側フィルムおよび前記ガゼット折り込み部に対して形成されており、
前記容器本体は、長手方向中央部に花卉の茎部の挿入と前記ガゼット袋への注水を可能にする開口部と山折り部とを有する折り畳み可能な蓋部と、この蓋部の両側縁にそれぞれ内側に折り曲げ可能に連設された左右一対の支持脚部とで構成され、前記山折り部より折り畳まれることにより前記ガゼット袋を挟み込み、前記蓋部の上側になっている半分と一方の支持脚部の裏面に前記ガゼット袋の表面側フィルムが接着され、前記蓋部の下側になっている残り半分と他方の支持脚部の裏面に前記ガゼット袋の裏面側フィルムが接着されていることを特徴とする花卉搬送用容器。
【請求項５】
非透水性素材によって形成されたガゼット袋と、このガゼット袋が裏面側に接着された容器本体とを備え、
前記ガゼット袋は、折り畳まれた状態において表面側フィルムと、裏面側フィルムと、これら両フィルムの各側縁より内側にそれぞれ折り込まれた一対のガゼット折り込み部とを有し、両端部をそれぞれ封止することにより底部側封止部と天部側封止部とを形成し、前記天部側封止部にはミシン目線からなる注水口用切断線が前記表面側フィルムと、前記裏面側フィルムおよび前記ガゼット折り込み部に対して形成されており、
前記容器本体は、長手方向中央部に花卉の茎部の挿入と前記ガゼット袋への注水を可能にする開口部と山折り部とを有する折り畳み可能な蓋部と、この蓋部の両側縁にそれぞれ内側に折り曲げ可能に連設された左右一対の支持脚部とで構成され、前記山折り部より折り畳まれることにより前記ガゼット袋を挟み込み、前記蓋部の上側になっている半分と一方の支持脚部の裏面に前記ガゼット袋の表面側フィルムが接着され、前記蓋部の下側になっている残り半分と他方の支持脚部の裏面に前記ガゼット袋の裏面側フィルムが接着されており、
使用時には前記蓋部を平面状に開いて両側の支持脚部を蓋部の下方に延在するように折り曲げて前記容器本体を門型形状に起立させることにより、前記ガゼット袋を箱型に拡開して前記左右一対の支持脚部の間隔を一定に保持することを特徴とする花卉搬送用容器。
【請求項６】
請求項４，５のうちのいずれか一項に記載の花卉搬送用容器において、
前記ガゼット袋の表面側フィルムと裏面側フィルムは、容器本体を門型形状に開脚させたとき左右一対の支持脚部が略垂直に起立するように、前記容器本体の裏面側に接着されていることを特徴とする花卉搬送用容器。
【請求項７】
請求項４〜６のうちのいずれか一項に記載の花卉搬送用容器において、
前記容器本体の蓋部の長手方向と直交する両側縁に耳部をそれぞれ一体に延設したことを特徴とする花卉搬送用容器。
【請求項８】
請求項４〜７のうちのいずれか一項に記載の花卉搬送用容器において、
前記注水口用切断線は、その下端が前記天部側封止部に位置ずけられたＴ字状、Ｙ字状またはＶ字状であることを特徴とする花卉搬送用容器。
【発明の詳細な説明】
【技術分野】
【０００１】
本発明は、花卉搬送用容器、花卉搬送用ガゼット袋およびその製造方法に関するものである。
【背景技術】
【０００２】
搬送中に給水して花卉の鮮度を保つようにした花卉搬送用容器としては、従来から種々提案されている（例えば、特許文献１〜３参照）。
【０００３】
特許文献１に記載されている鮮度保持容器は、一枚の厚紙（段ボール）によって形成された容器本体と、可撓性と非透水性を有するシートによって形成された袋とを備えている。前記容器本体は、花き類の茎を収容する収容口を兼ねる注水口を有する蓋部と、この蓋部の両側に連設された左右一対の支持脚部とからなり、不使用時においては蓋部と支持脚部が平面状に展開した状態に保持され、使用時に蓋部を上にして左右の支持脚部を互いに対向するように下方に略直角に折り曲げることにより門型形状に起立させる。
【０００４】
前記袋は、円筒状の原反の両側縁を内側にそれぞれ折り込むことにより形成されたガゼット折り込み部、上になっているフィルム面の中央に形成された注水口とを有し、折り畳まれた状態で前記容器本体の蓋部の裏面側に上面が接着されている。なお、以下の説明においては、ガゼット折り込み部を有する袋をガゼット袋と称する。このようなガゼット袋は、例えば特許文献４に開示されている製造方法によって製造される。
【０００５】
前記鮮度保持容器は、使用時に容器本体を門型形状に起立させた状態において、注水口部分から水をガゼット袋内に注水することによりガゼット袋を容器本体の内部空間内において拡開させ、花きの茎を注水口からガゼット袋内に挿入し、蓋部の注水口で茎を立った状態で支持するようにしている。
【０００６】
また、この鮮度保持容器は、使用状態において、左右の支持脚部を連結部材によって連結することにより支持脚部の間隔を一定に保ち、容器本体の安定性を確保するようにしている。連結部材は、厚紙によって細長い板状に形成されて両端部に溝部をそれぞれ有し、これらの溝部を各支持脚部に形成した溝部にそれぞれ係合させることにより、左右の支持脚部を連結するようにしている。
【０００７】
特許文献２に記載されている鮮度保持容器は、前記特許文献１に記載の鮮度保持容器と同様に、容器本体の蓋部の裏面に水収容袋（ガゼット袋）の天部を接着し、左右の支持脚部の各端部をフレームによってそれぞれ連結することにより、左右の支持脚部の間隔を一定に保ち、容器本体の安定性を確保するようにしている。
【０００８】
特許文献３に記載の花卉用梱包箱における給水構造も、前記特許文献１，２と同様に使用時に門型形状に起立する花立てスタンド（容器本体）と給水袋（ガゼット袋）とを有し、花立てスタンドを補強板（連結部材）によって互いに連結し補強するようにしている。
【０００９】
【特許文献１】特許第３５９００５６号公報
【特許文献２】特許第３６４０６６２号公報
【特許文献３】特許第３６４６８０７号公報
【特許文献４】特開２００２−３６１７６３号公報
【発明の開示】
【発明が解決しようとする課題】
【００１０】
しかしながら、上記した特許文献１〜３に記載されている鮮度保持容器は、いずれも容器本体とは別個に形成した連結部材を用いて左右の支持脚部どうしを連結するようにしているため、製造、組立工程および部品点数が増加し、製造コストが嵩むという問題があった。
【００１１】
そこで、最近では、左右の支持脚部の側縁部にそれぞれ切り込みの形成によって溝部を有する舌片状の連結部を一体に設けておき、容器本体を門型形状に起立させたときに、各支持脚部の連結部を内側に折り曲げて溝部どうしを互いに係合させることにより、左右の支持脚部を連結部を介して連結し補強するようにした鮮度保持容器も実用に供されている。このような鮮度保持容器によれば、別部材からなる連結部材を必要とせず、安価に製造することができる。
【００１２】
しかしながら、このような鮮度保持容器においても、容器本体を組立てるとき、連結部を内側に折り曲げて溝部を互いに係合させる必要があるため、容器本体の組立工数までは削減することができないという問題があった。
【００１３】
特に、花卉を取り扱う業界においては、大量の花卉を早急に配送可能な状態にしなければならない。このため、１つの容器の組立に要する時間を少しでも短縮することができれば、結果として作業時間が大幅に短縮でき、このような容器の開発が望まれていた。
【００１４】
また、上記した特許文献１〜３に記載の鮮度保持容器は、いずれもガゼット袋を、その底部側のフィルム部分を下にし、天部側のフィルム部分を上にし、その間にガゼット折り込み部が位置するように折り畳み、天部側フィルム部分に注水口を形成しているので、注水口の形成時には、天部側フィルム部分以外のフィルム部分、すなわち底部側フィルム部分およびガゼット折り込み部を切断しないようにガゼット袋内にプレートを挿入して天部側フィルム部分とガゼット折り込み部との間に位置させ、天部側フィルム部分のみを断裁する必要がある。このため、ガゼット袋内にプレートを挿入する工程とプレートをガゼット袋から抜き出す工程を必要とし、ガゼット袋の製造工程数が増加するという問題があった。
【００１５】
本発明は上記した従来の問題を解決するためになされたもので、その目的とするところは、ガゼット袋自体に支持脚部の間隔保持機能を持たせることにより、連結部材や連結部を一切用いることなく容器本体を安定した状態で起立させることができ、部品点数と組立工数の削減および製造コストの低減を可能にした花卉搬送用容器を提供することにある。
【００１６】
また、本発明は、ガゼット袋の製造工程を簡素化し、生産性を向上させるようにしたガゼット袋の製造方法およびガゼット袋を提供することにある。
【課題を解決するための手段】
【００１７】
上記目的を達成するために第１の発明に係る花搬送用ガゼット袋の製造方法は、非透水性素材の折り畳み加工によって形成されることにより表面側フィルムと、裏面側フィルムと、これら両フィルムの両側縁間で折り畳まれた一対のガゼット折り込み部とを有し、両端が開放する袋素材を用意する工程と、前記袋素材の両端を封止して底部側封止部と天部側封止部を形成する工程と、一端が前記天部側封止部に接続するミシン目線からなる注水口用切断線を前記表面側フィルム、前記裏面側フィルムおよび前記ガゼット折り込み部に対して形成する工程とを含むものである。
【００１８】
第２の発明に係る花卉搬送用ガゼット袋は、表面側フィルムと、裏面側フィルムと、これら両フィルムの側縁より内側にそれぞれ折り込まれた一対のガゼット折り込み部とを有して底部と天部がそれぞれ封止されるとともに、天部側封止部に注水口用切断線が形成された非透水性素材からなる花卉搬送用ガゼット袋であって、前記注水口用切断線は、前記表面側フィルム、裏面側フィルムおよび一対のガゼット折り込み部の一部に対してミシン目線によって形成されているものである。
【００１９】
第３の発明は、前記第２の発明において、前記注水口用切断線を、その下端が前記天部側封止部に位置ずけられたＴ字状、Ｙ字状またはＶ字状の切断線としてものである。
【００２０】
第４の発明に係る花卉搬送用容器は、非透水性素材によって形成されたガゼット袋と、このガゼット袋が裏面側に接着された容器本体とを備え、前記ガゼット袋は、折り畳まれた状態において表面側フィルムと、裏面側フィルムと、これら両フィルムの各側縁より内側にそれぞれ折り込まれた一対のガゼット折り込み部とを有し、両端部をそれぞれ封止することにより底部側封止部と天部側封止部とを形成し、前記天部側封止部にはミシン目線からなる注水口用切断線が前記表面側フィルムと、前記裏面側フィルムおよび前記ガゼット折り込み部に対して形成されており、前記容器本体は、長手方向中央部に花卉の茎部の挿入と前記ガゼット袋への注水を可能にする開口部と山折り部とを有する折り畳み可能な蓋部と、この蓋部の両側縁にそれぞれ内側に折り曲げ可能に連設された左右一対の支持脚部とで構成され、前記山折り部より折り畳まれることにより前記ガゼット袋を挟み込み、前記蓋部の上側になっている半分と一方の支持脚部の裏面に前記ガゼット袋の表面側フィルムが接着され、前記蓋部の下側になっている残り半分と他方の支持脚部の裏面に前記ガゼット袋の裏面側フィルムが接着されているものである。
【００２１】
第５の発明に係る花卉搬送用容器は、非透水性素材によって形成されたガゼット袋と、このガゼット袋が裏面側に接着された容器本体とを備え、前記ガゼット袋は、折り畳まれた状態において表面側フィルムと、裏面側フィルムと、これら両フィルムの各側縁より内側にそれぞれ折り込まれた一対のガゼット折り込み部とを有し、両端部をそれぞれ封止することにより底部側封止部と天部側封止部とを形成し、前記天部側封止部にはミシン目線からなる注水口用切断線が前記表面側フィルムと、前記裏面側フィルムおよび前記ガゼット折り込み部に対して形成されており、前記容器本体は、長手方向中央部に花卉の茎部の挿入と前記ガゼット袋への注水を可能にする開口部と山折り部とを有する折り畳み可能な蓋部と、この蓋部の両側縁にそれぞれ内側に折り曲げ可能に連設された左右一対の支持脚部とで構成され、前記山折り部より折り畳まれることにより前記ガゼット袋を挟み込み、前記蓋部の上側になっている半分と一方の支持脚部の裏面に前記ガゼット袋の表面側フィルムが接着され、前記蓋部の下側になっている残り半分と他方の支持脚部の裏面に前記ガゼット袋の裏面側フィルムが接着されており、使用時には前記蓋部を平面状に開いて両側の支持脚部を蓋部の下方に延在するように折り曲げて前記容器本体を門型形状に起立させると、前記ガゼット袋が箱型に拡開して前記左右一対の支持脚部の間隔を一定に保持するものである。
【００２２】
第６の発明に係る花卉搬送用容器は、前記ガゼット袋の表面側フィルムと裏面側フィルムが、容器本体を門型形状に開脚させたとき左右一対の支持脚部が略垂直に起立するように、前記容器本体の裏面側に接着されているものである。
【００２３】
第７の発明に係る花卉搬送用容器は、前記容器本体の蓋部の長手方向と直交する両側縁に耳部をそれぞれ一体に延設したものである。
【００２４】
第８の発明は、前記第４〜第７の発明のうちのいずれか１つにおいて、前記注水口用切断線をその下端が前記天部側封止部に位置ずけられたＴ字状、Ｙ字状またはＶ字状の切断線としたものである。
【発明の効果】
【００２５】
第１、第２の発明においては、注水口用切断線をガゼット袋の表面側フィルムからガゼット折り込み部を通り裏面側フィルムにまで達するように形成しているので、従来のようにガゼット袋内にプレートを入れてガゼット折り込み部や裏面側フィルムが切断されないように保護する必要がなく、ガゼット袋の製造工程を簡素化することができ、生産性を向上させることができる。
【００２６】
天部側封止部と底部側封止部の形成工程は、どちらが先であってもよく、また同時であってもよい。注水口用切断線の形成工程は、ガゼット袋の裁断と同時であってもよい。
【００２７】
第４、第５の発明においては、容器本体を山折り部より二つ折りに折り畳み、その間に折り畳まれたガゼット袋を挟み込んでいるので、嵩張らず、保管、運送ができ、販売コストを低減することができる。
【００２８】
ガゼット袋は、表面側と裏面側のフィルムが容器本体に裏面に接着固定されているので、使用時に容器本体が門型形状に開脚されて起立すると、自動的に拡開して一対の支持脚部の間隔を一定に保持する。したがって、別部材からなる連結部材を用いたりあるいは容器本体に形成した連結部によって左右の支持脚部を連結する必要がなく、容器の組み立て作業が容易で組立時間を短縮することができる。
【００２９】
第６の発明においては、ガゼット袋の表面側フィルムと裏面側フィルムを、容器本体を門型形状に開脚したとき左右の支持脚部が略垂直に起立するように容器本体の裏面側に接着しているので、ガゼット袋内に収容される水の重量によって支持脚部が開きすぎてガゼット袋の接着部が剥がれたりすることがなく、使用時における花卉搬送用容器の安定性を高めることができる。
【００３０】
第７の発明においては、横幅が蓋部の幅より大きな花卉用梱包箱に花卉搬送用容器を収容したとき、耳部が花卉用梱包箱の内壁に当接することにより、容器本体を安定した状態に支持し、容器本体の移動、傾き等を防止することができる。
【００３１】
第３、第８の発明においては、注水口用切断線を切断すると、注水口となり、ガゼット袋内への注水を可能にする。この注水口用切断線を切断すると、切断部のフィルム部分がフィルム片となる。これらのフィルム片を容器本体の蓋部の裏面に貼り付けられておくと、袋内の水が振動等により注水口から飛び出して容器本体を濡らすのを防止する。
【発明を実施するための最良の形態】
【００３２】
以下、本発明を図面に示す実施の形態に基づいて詳細に説明する。
図１は本発明に係る花卉搬送用容器を花卉用梱包箱に組込み、花卉を収容した状態を示す外観斜視図、図２は同花卉用梱包箱の内部を示す正面図、図３は花卉搬送用容器の不使用時の状態を示す斜視図、図４は同花卉搬送用容器の使用時の状態を示す外観斜視図、図５はガゼット袋の拡開した状態を示す外観斜視図、図６は同ガゼット袋の折り畳んだ状態の一部を破断して示す外観斜視図、図７は容器本体の平面状に展開した状態を示す外観斜視図、図８〜図１０は花卉搬送用容器の組立手順を説明するための図、図１１〜図１４はガゼット袋の製造方法を説明するための図、図１５〜図１６は本発明の他の実施の形態を示す図である。
【００３３】
図１および図２において、参照符号１は段ボール箱からなる花卉用梱包箱であり、この花卉用梱包箱１は、段ボールの打ち抜き加工と折り曲げによって前面側が開放する縦長矩形の箱体に形成されることにより、上板２、底板３、細長い左右の側板４，５、背面板６とからなる箱本体８と、この箱本体８の開口部９を閉塞する開閉自在な蓋板７とを備え、内部下方に本発明に係る花卉搬送用容器１０が収容されている。
【００３４】
前記花卉搬送用容器１０は、搬送中において花卉１１の鮮度を保ち水枯れを防止するために花卉１１に給水するための水１４を収容する給水袋として機能するガゼット袋１３と、このガゼット袋１３を安定した使用状態に保持するスタンドとして機能する容器本体１５とで構成されている。また、容器本体１５によって花卉１１の茎部１１Ａを保持している。以下、花卉搬送用容器１０の構成等をさらに詳述する。
【００３５】
図３〜図７において、前記ガゼット袋１３は、薄くて柔軟性と非透水性を有する素材、例えばポリエチレン、ビニール等の合成樹脂製フィルムやクラフト紙によって形成されており、本実施の形態においては透明なポリエチレンによって形成した例を示している。このガゼット袋１３は、表面側フィルム１３Ａと、裏面側フィルム１３Ｂと、これら両フィル１３Ａ，１３Ｂの各側縁をそれぞれ連結する２つのガゼット折り込み部１３Ｃ，１３Ｄとを一体に有し、両端部が熱溶着によって封止されることにより、天部側封止部１６と、底部側封止部１７を形成している。
【００３６】
前記表面側フィルム１３Ａと裏面側フィルム１３Ｂは同一の大きさで、ガゼット袋１３を折り畳んだ不使用時において長さと幅の比が、例えば略２〜３対１の長方形を呈している。
【００３７】
前記底部側封止部１７は、使用時において水１４の重量にする剥離を防止するために天部側封止部１６よりも大きな溶着幅（例えば、２〜５ｍｍ）を有するように形成されている。
【００３８】
前記２つのガゼット折り込み部１３Ｃ，１３Ｄは、ガゼット袋１３が図６に示す折り畳まれた不使用状態においては、表面側フィルム１３Ａと裏面側フィルム１３Ｂとの間に折り込まれており、長手方向の両端がこれらフィルム１３Ａ，１３Ｂとともに熱溶着されている。各ガゼット折り込み部１３Ｃ，１３Ｄの折り込み底１８は、ガゼット袋１３を折り畳んだ状態において、ガゼット袋１３の幅方向中央近傍に位置して互いに対向している。
【００３９】
また、ガゼット袋１３の天部側には、Ｔ字状のミシン目線（点線状の不連続な切断線）からなる注水口用切断線２２が形成されている。この注水口用切断線２２は、ガゼット袋１３の使用時にミシン目線から破断することにより、花卉１１の茎部１１Ａをガゼット袋１３内に挿入するための挿入孔兼水１４を注入するための注水口２１（図５）となるものである。また、この注水口用切断線２２は、一端が天部側封止部１６の幅方向中央に接続され、他端が底部側封止部１７方向に向かって適宜長さ延在する縦ミシン目線２２ａと、この縦ミシン目線２２ａの他端に中央が接続しガゼット袋１３の幅方向に適宜長さ延在する横ミシン目線２２ｂとで構成されている。また、これらの縦ミシン目線２２ａと縦ミシン目線２２ｂは、ガゼット袋１３を折り畳んだ状態において、表面側フィルム１３Ａから裏面側フィルム１３Ｂに貫通して形成されていることにより、ガゼット折り込み部１３Ｃ，１３Ｄと裏面側フィルム１３Ｂにもそれぞれ形成されている。このようなミシン目線２２ａ，２２ｂからなる注水口用切断線２２を形成しておくと、ガゼット袋１３を拡開して花卉１１の茎部１１Ａをガゼット袋１３に挿入したり水１４を注入するとき、ミシン目線２２ａ，２２ｂに僅かな力を加えるだけで簡単に切断することができ、図５に示すような矩形の注水口２１とすることができる。
【００４０】
このようなガゼット袋１３を強制的に拡開させると、空気が注水口２１から内部に吹き込まれるため、表面側フィルム１３Ａと裏面側フィルム１３Ｂの高さ方向中央部が広がり、ガゼット折り込み部１３Ｃ，１３Ｄの高さ方向中央部を開かせる。このため、ガゼット折り込み部１３Ｃ，１３Ｄの高さ方向中央部は、表面側フィルム１３Ａと裏面側フィルム１３Ｂの高さ方向中央部の面と略直交する平面状になる。一方、表面側フィルム１３Ａと裏面側フィルム１３Ｂおよびガゼット折り込み部１３Ｃ，１３Ｄの上下端部は、ガゼット折り込み部１３Ｃ，１３Ｄの上下端が表面側フィルム１３Ａと裏面側フィルム１３Ｂの上下端に接合されてこれらフィルムとともに天部側封止部１６と底部側封止部１７を形成していることから、中央部に対して略直角に折れ曲がって水平な面を形成する。このため、ガゼット袋１３は、図５に示すように直方体に拡開し、表面側フィルム１３Ａ、裏面側フィルム１３Ｂの上端部とガゼット折り込み部１３Ｃ，１３Ｄの上下端部との間に三角錐型の空間２３ａ，２３ｂがそれぞれ形成され、上面１３Ｆの中央に水１４の注入と花卉１１の茎部１１Ａの挿入を可能にする前記注水口２１が位置する。ガゼット袋１３の拡開状態における上面１３Ｆは、表面側フィルム１３Ａと裏面側フィルム１３Ｂの略水平に折り曲げられた上端部によって形成され、底面１３Ｇは同じく表面側フィルム１３Ａと裏面側フィルム１３Ｂの略水平に折り曲げられたれた下端部によって形成される。なお、拡開状態におけるガゼット折り込み部１３Ｃ，１３Ｄの長さ方向中央部の幅Ｄは、表面側フィルム１３Ａと裏面側フィルム１３Ｂの幅Ｅと略等しい。ただし、ガゼット折り込み部１３Ｃ，１３Ｄの幅Ｄは、ガゼットの折り込み深さを変えることによって所望の値とすることができる。
【００４１】
図３、図４および図７において、前記容器本体１５は、段ボールの打ち抜き加工によって細長い矩形板状に形成することにより、ガゼット袋１３の幅Ｅと略等しい幅で、折り畳んだ状態におけるガゼット袋１３の長さＬ（図６）の２倍より若干短い長さを有している。また、この容器本体１５は、折り曲げ可能な３つの板部分、すなわち、中央に花茎１１Ａの挿入とガゼット袋１３への注水を可能にする開口部２５を有する蓋部１５Ａと、この蓋部１５Ａの両側に山折り部２６，２７によって内側に折り畳み可能に連設された左右一対の支持脚部１５Ｂ，１５Ｃとで構成され、これらの蓋部１５Ａと支持脚部１５Ｂ，１５Ｃの裏面に前記ガゼット袋１３の表面側フィルム１３Ａと裏面側フィルム１３Ｂの一部が接着剤によって接着されている。
【００４２】
前記蓋部１５Ａの長手方向中央には、前記開口部２５を横断する山折り部２８が形成されており、花卉搬送用容器１０の製造時（保管、不使用時も同様）においては図３に示すようにこの山折り部２８に沿って容器本体１５が二つ折りに折り畳まれることにより、折り畳まれたガゼット袋１３を挟み込んでいる。この状態において、ガゼット袋１３の底部側は容器本体１５の外部に突出している。
【００４３】
前記開口部２５は矩形の開口からなり、その周囲には切り込み３１と山折り線３２とにより内側に折り曲げ可能な４つの舌片３３が形成されており、これら舌片３３によって花卉１１の茎部１１Ａを安定した状態に保持するようにしている。
【００４４】
各支持脚部１５Ｂ，１５Ｃの蓋部側端部で幅方向中央には、容器本体１５を持ち運んだり、支持脚部１５Ｂ，１５Ｃを折り曲げたり、あるいは容器１０を組立てたりするときに利用される指差し込み用孔３６がそれぞれ形成されている。
【００４５】
図５において、斜線部３７ａ〜３７ｅ、３８ａ〜３８ｅは、ガゼット袋１３の表面側フィルム１３Ａと裏面側フィルム１３Ｂの容器本体１５に接着される箇所（以下、接着部という）である。これらの接着部のうち、表面側フィルム１３Ａの接着部３７ａ〜３７ｃと裏面側フィルム１３Ｂの接着部３８ａ〜３８ｃは、容器本体１５の蓋部１５Ａの裏面に接着される部分であり、表面側フィルム１３Ａの接着部３７ｄ，３７ｅは一方の支持脚部１５Ｂの裏面に接着される部分であり、裏面側フィルム１３Ｂの接着部３８ｄ，３８ｅは他方の支持脚部１５Ｃの裏面に接着される部分である。
【００４６】
前記接着部３７ａと３７ｂは、天部側封止部１６に最も近い表面側フィルム１３Ａの上端部両側縁から中央に向かう帯状部分であって、先端がミシン目線２２ａ，２２ｂの切り離しによって形成される矩形のフイルム片４１ａ，４１ｂの表面にまでそれぞれ延在している。接着部３７ｃは、表面側フィルム１３Ａの天部側端部で前記接着部３７ａ，３７ｂより底部側溶着部１７方向に所定距離離間した接着部分で、表面側フィルム１３Ａの略全幅にわたる帯状部分を呈している。
【００４７】
前記接着部３８ａ，３８ｂ，３８ｃは、天部側封止部１６に最も近い裏面側フィルム１３Ｂの上端部に前記接着部３７ａ，３７ｂ，３７ｃと対称的にそれぞれ形成された帯状を呈する接着部である。
【００４８】
接着部３７ｄ，３７ｅは、容器本体１５の一方の支持脚部１５Ｂの裏面に接着される接着部であって、表面側フィルム１３Ａの長手方向中央部に略全幅にわたる帯状を呈している。
【００４９】
接着部３８ｄ，３８ｅは、容器本体１５の他方の支持脚部１５Ｃの裏面に接着される接着部であって、前記接着部３７ｄ，３７ｅと対称的にそれぞれ形成された帯状の接着部分である。
【００５０】
これらの接着部３７ａ〜３７ｅ、３８ａ〜３８ｅのうち接着部３７ｄと３７ｅ、３８ｄと３８ｅは、拡開時におけるガゼット袋１３の高さを決定し、接着部３７ｅ，３８ｅの下縁は同じく拡開時におけるガゼット袋１３の底面１３Ｇの高さを決定する。この底面高さは、ガゼット袋１３に水１４を注入した状態において、底面１３Ｇが地面に接触する高さであることが望ましい。なお、ガゼット袋１３は、表面側フィルム１３Ａと裏面側フィルム１３Ｂが平らな状態で容器本体１５の裏面に接着されるため、拡開しても前記接着部３７ａ〜３７ｅ、３８ａ〜３８ｅに張力が加わることはない。
【００５１】
図８〜図１０は、容器本体１５にガゼット袋１３を接着するときの作業手順を説明するための示す図である。
ガゼット袋１３を容器本体１５に接着するときには、先ずガゼット袋１３と容器本体１５を用意する。また、容器本体１５を図８に示すように平板なままの状態で裏返しにして作業台上に設置する。そして、蓋部１５Ａの図８において右半部１５Ａ-1と支持脚部１５Ｃの裏面所定箇所に接着剤４０ａ〜４０ｅをそれぞれ塗布する。これらの接着剤４０ａ〜４０ｅは、ガゼット袋１３の裏面側フィルム１３Ｂの接着部３８ａ〜３８ｅにそれぞれ対応している。
【００５２】
次に、折り畳まれたガゼット袋１３を容器本体１５の右側部分に載せて裏面側フィルム１３Ｂの接着部３８ａ〜３８ｅを前記接着剤４０ａ〜４０ｅに押し付けて接着する。ガゼット袋１３を容器本体１５に接着するときは、ガゼット袋１３の天部側封止部１６が容器本体１５の山折り部２８と重なり合うように前後左右方向を位置決めして接着する。また、注水口用切断線２２のミシン目線が切り離されないように注意して接着する。図９は裏面側フィルム１３Ｂを容器本体１５に接着した状態を示す図である。
【００５３】
裏面側フィルム１３Ｂの接着が終了すると、図１０に示すように蓋部１５Ａの左半部１５Ａ-2と支持脚部１５Ｂの裏面所定箇所に接着剤４１ａ〜４１ｅをそれぞれ塗布する。これらの接着剤４１ａ〜４１ｅは、ガゼット袋１３の表面側フィルム１３Ａの接着部３７ａ〜３７ｅにそれぞれ対応している。
【００５４】
次に、容器本体１５のガゼット袋１３が接着されていない左半分を山折り部２８に沿って１８０°折り曲げてガゼット袋１３の上に重ね合わせて押し付ける。これによって表面側フィルム１３Ａの接着部３７ａ〜３７ｅが接着剤４１ａ〜４１ｅによって容器本体１５の蓋部１５Ａと支持脚部１５Ｂの裏面に接着され、もって図３に示す花卉搬送用容器１０が完成する。
【００５５】
この完成直後の花卉搬送用容器１０は、容器本体１５が山折り部２８に沿って二つ折りに折り畳まれた状態であり、この状態で保管したり流通に供される。そして、花卉１１を花卉搬送用容器１０に収納して搬送するときは、図４に示すように蓋部１５Ａを平板状に開き、支持脚部１５Ｂ，１５Ｃを蓋部１５Ａに対して略直角に折り曲げて容器本体１５を門型形状に開脚させる。容器本体１５が門型に開脚すると、内側に貼り着けられているガゼット袋１３が拡開する。すなわち、ガゼット袋１３の表面側フィルム１３Ａと裏面側フィルム１３Ｂの中央部が支持脚部１５Ｂ，１５Ｃとともに離間してガゼット折り返し部１３Ｃ，１３Ｄの中央部を平面状に開く。このため、ガゼット袋１３は、容器本体１５の内部空間に近い容積の矩形箱状の袋となる。このとき、予めミシン目線からなる注水口用切断線２２を切り離して注水口２１としておくと、この注水口２１と容器本体１５の開口部２５とが連通するため、ガゼット袋１３内に空気が速やかに侵入しガゼット袋１３を容易かつ迅速に拡開させることができる。
【００５６】
また、注水口用切断線２２を切断すると注水口２１となり、ガゼット袋１３内への注水を可能にする。この注水口用切断線２２を切断すると、切断部のフィルム部分が矩形のフィルム片４１ａ，４１ｂとなる。これらのフィルム片４１ａ，４１ｂは容器本体１５の蓋部１５Ａの裏面に貼り付けられており、これにより袋内の水が振動等により注水口２１から飛び出して容器本体１５に付着し濡らすのを防止する。
【００５７】
ガゼット袋１３の拡開によってガゼット折り返し部１３Ｃ，１３Ｄの中央部が平面状に開くと、左右の支持脚部１５Ｂ，１５Ｃの間隔は一定に保持される。この間隔は、接着部３７ｄ，３７ｅ，３８ｄ，３８ｅの長さによって規定される。すなわち、ガゼット折り返し部１３Ｃ，１３Ｄの中央部の平面状に開いた状態における幅Ｄが蓋部１５Ａの長さと略等しい場合、接着部３７ｄ，３７ｅ，３８ｄ，３８ｅの長さをガゼット袋１３の表面側フィルム１３Ａと裏面側フィルム１３Ｂの幅Ｅと略等しくすると、支持脚部１５Ｂと１５Ｃの間隔はガゼット折り返し部１３Ｃ，１３Ｄの中央部の平面状に開いた状態における幅Ｄと等しくなる。つまり、支持脚部１５Ｂと１５Ｃは略平行に対向し垂直に起立する。
【００５８】
一方、接着部３７ｄ，３７ｅ，３８ｄ，３８ｅの長さを短くしてその両端を表面側フィルム１３Ａと裏面側フィルム１３Ｂの各側縁からそれぞれ離間させると、ガゼット袋１３を拡開させたとき、表面側フィルム１３Ａと裏面側フィルム１３Ｂの中央部の両側縁部が折り曲げられてガゼット折り返し部１３Ｃ，１３Ｄの中央部と同一平面を形成してガゼット袋１３の長さ（左右の支持脚部１５Ｂ、１５Ｃ方向の長さ）が長くなるため、支持脚部１５Ｂ，１５Ｃは間隔が広がり「ハ」の字状になる。支持脚部１５Ｂ，１５Ｃが「ハ」の字状になるとガゼット袋１３に水１４を注水したとき、水の重量により支持脚部１５Ｂ，１３Ｃに作用する水平方向の分力が大きくなるため、容器本体１５が潰れて接着部３７ｄ，３７ｅ，３８ｄ，３８ｅは剥がれ易くなる。したがって、容器本体１５の開脚状態を安定に維持するためには、支持脚部１５と１５Ｃを略垂直または逆「ハ」の字状に小角度（５°程度）傾斜するように起立させることが望ましい。
【００５９】
次に、上記したガゼット袋１３の製造方法を図１１〜図１４に基づいて説明する。
図１１はガゼット袋の製造工程を説明するための平面図、図１２は図１１のＡ−Ａ線断面図、図１３は図１１のＢ−Ｂ線断面図、図１４は図１１のＣ−Ｃ線断面図である。
ガゼット袋１３の製造に際しては、合成樹脂製フィルムからなる円筒状の原反７０を用意し、これを適宜な搬送機構によって搬送し、中子７１を通過させる。中子７１は直方体に形成されている。
【００６０】
原反７０は中子７１を通過すると断面形状が矩形となり、左右一対のガゼット形成用ピン７２によって両側縁部が内側にそれぞれ折り込まれることによりガゼット折り込み部１３Ｃ，１３Ｄが形成される。ガゼット形成用ピン７２によってガゼット折り込み部１３Ｃ，１３Ｄが形成されると、原反７０は幅が狭まり、ガゼット折り込み部１３Ｃ，１３Ｄより上側のフィルム部分がガゼット袋１３の表面側フィルム１３Ａとなり、下側のフィルム部分がガゼット袋１３の裏面側フィルム１３Ｂとなる。
【００６１】
ガゼット形成用ピン７２の下流側には、原反７０の搬送路を挟んで上下に対向する一対のローラ７４Ａ，７４Ｂが設けられており、これらのローラ７４Ａ，７４Ｂによって原反７０を折り畳み、表面側フィルム１３Ａと裏面側フィルム１３Ｂおよびガゼット折り込み部１３Ｃ，１３Ｄとの接合部に折り目線を入れ、ガゼット形状を付与する。このため、ローラ７４Ａ，７４Ｂ間を通過した表面側フィルム１３Ａ、裏面側フィルム１３Ｂおよびガゼット折り込み部１３Ｃ，１３Ｄは、重ね合わされて密着し、内部の空気が排出される。
【００６２】
次に、ローラ７４Ａ，７４Ｂを通過した原反７０の前端に上下一対のヒートシーラを押し付けて表面側フィルム１３Ａ、裏面側フィルム１３Ｂおよびガゼット折り込み部１３Ｃ，１３Ｄの前端を熱溶着し底部側封止部１７を形成する。底部側封止部１７の幅は、３〜５ｍｍ程度である。
【００６３】
底部側封止部１７の溶着が終了するとさらに原反７０を一定距離、すなわち表面側フィルム１３Ａ、裏面側フィルム１３Ｂの長さだけ搬送して停止させ、再度一対のヒートシーラを原反７０に押し付けることにより、表面側フィルム１３Ａ、裏面側フィルム１３Ｂおよびガゼット折り込み部１３Ｃ，１３Ｄを熱溶着して天部側封止部１６を形成する。天部側封止部１６の幅は、１ｍｍ以下であることが望ましい。天部側封止部１６の幅を狭くする理由は、蓋部１５Ａの裏面に山折り部２８に沿って確実に接着するためである。すなわち、山折り部２８自体が線状で幅が狭いため、天部側封止部１６の幅を広くすると、山折り部２８に沿って接着しても蓋部１５Ａを山折り部２８に沿って折り曲げると天部側封止部１６に応力が加わり剥離してしまうからである。一方、天部側封止部１６の幅を狭くした場合は、蓋部１５Ａを山折り部２８に沿って折り曲げても応力がほとんど加わらず、剥離するおそれはない。
【００６４】
さらに、一端が前記天部側封止部１６に接続するＴ字状のミシン目線からなる注水口用切断線２２を形成する。
【００６５】
注水口用切断線２２は、カッターを天部側封止部１６側の表面側フィルム１３Ａに押し付けてガゼット折り込み部１３Ｃ，１３Ｄおよび裏面側フィルム１３Ｂにまで達する切断線であるため、裏面側フィルム１３Ｂやガゼット折り込み部１３Ｃ，１３Ｄが切断されないようにプレートをガゼット袋内に挿入する必要がなく、切断線形成工程を簡素化することができ、また天部側封止部１６と底部側封止部１７を形成した後であっても形成することができる。
【００６６】
注水口用切断線２２の形成工程が終了すると、前記天部側封止部１６を原反本体から裁断すると、切り離された原反部分がガゼット袋１３となる。以下、同様な工程を繰り返すことによりガゼット袋１３が連続的に製造される。なお、天部側封止部１６の溶着と原反本体からの切断は同時であってもよい。
【００６７】
ガゼット袋１３の製造に際しては、従来のガゼット製造装置によって連続的に製作する場合に限らず、各工程毎に専用の機械を用いて製作してもよい。
【００６８】
また、原反７０に天部側封止部１６を形成する工程と、原反７０に底部側封止部１７を形成する工程の順序は、どちらが先であってもよい。
【００６９】
さらに、Ｔ字状のミシン目線からなる注水口用切断線２２を形成する工程は、天部側封止部１６を形成する工程または原反本体から裁断してガゼット袋１３を形成する工程と同時かまたはガゼット袋を形成する工程の後であってもよい。
【００７０】
ガゼット袋１３をクラフト紙で製作する場合は、ロール状に巻回されたクラフト紙を原反として用いればよい。クラフト紙の場合は、シート状の原反の両側縁部をＮ字状に折り曲げてガゼット折り込み部分と表面側フィルム部分を形成するととともに、両側縁部を重ね合わせて接着し筒状にする工程が追加されるだけであり、その後の工程は上記した合成樹脂製フィルムからなる筒状の原反７０を用いて製作する場合と同じであるため、その説明を省略する。なお、クラフト紙製のガゼット袋は、原料がクラフトパルプであるため、可燃物として廃棄処理することができ、合成樹脂製のガゼット袋に比べて環境への影響が少ないという利点がある。
【００７１】
このように本発明に係る花卉搬送用容器１０は、ガゼット袋１３の表面側フィルム１３Ａと裏面側フィルム１３Ｂを容器本体１５の裏面側に接着することにより、容器本体１５を門型形状に開脚させたとき、ガゼット袋１３自体に一対の支持脚部１５Ｂ，１５Ｃの間隔を一定に保持する機能を持たせたので、別部材または容器本体に設けた連結部によって一対の支持脚部１５Ｂ，１５Ｃを連結し一定の間隔に保持する必要がなく、花卉搬送用容器１０の組立作業が簡単で迅速に行うことができる。
【００７２】
また、ガゼット袋１３の製造に際しては、折り畳まれている表面側フィルム１３Ａ、裏面側フィルム１３Ｂおよびガゼット折り込み部１３Ｃ，１３Ｄに対してＴ字状のミシン目線からなる注水口用切断線２２を形成すればよいので、注水口を形成しないフィルム部分を切断しないようにプレートをガゼット袋１３の内部に挿入したりする必要がなく、ガゼット袋１３の製造工程を簡素化することができる。
【００７３】
図１５は本発明の他の実施の形態に係る花卉搬送用容器を花卉用梱包箱に収納した状態を示す外観斜視図、図１６は同搬送用容器の使用時の状態を示す外観斜視図である。
この実施の形態は、容器本体１５の蓋部１５Ａの長手方向と直交する両側縁に各支持脚部１５Ｂ，１５Ｃから一部分を切り離して形成された耳部１５Ｄをそれぞれ一体に延設した点、蓋部１５の開口部２５を円形に形成した点および花卉用梱包箱８０の内幅寸法が蓋部１５Ａの長さより大きく左右の耳部１５Ｄの先端が当たる寸法に設定されている点が上記した実施の形態と異なるだけで、容器本体１５のその他の構成とガゼット袋１３は上記した実施の形態と全く同じであるため、同一部材、部分については同一符号をもって示しその説明を省略する。なお、耳部１５Ｄは蓋部１５Ａと同一平面を形成している。
【００７４】
このような構成からなる花卉搬送用容器９０を花卉用梱包箱８０内に収容すると、左右の耳部１５Ｄの先端が花卉用梱包箱８０の内壁に当接して支持されるため、大きな花卉用梱包箱８０であっても花卉搬送用容器９０を安定した状態で収納することができ、左右方向の移動、傾き等を規制防止することができる。
【００７５】
他方、図１に示した容積の小さい梱包箱１に花卉搬送用容器９０を収容するときは、耳部１５Ｄを上方または下方に折り曲げて花卉用梱包箱１の内壁に添接すればよい。
【００７６】
このように、耳部１５Ｄを一体に有する容器本体１５を備えた花卉搬送用容器９０によれば、容積が小さい花卉用梱包箱１と大きい梱包箱８０の両方に対して共通に使用することができ、花卉搬送用容器の種類を低減することができる。
【００７７】
なお、上記した実施の形態においては、容器本体１５の蓋部１５Ａの接着部を４カ所とし、支持脚部１５Ｂ，１５Ｃの接着部をそれぞれ２箇所（３７ｄと３７ｅ、３８ｄと３８ｅ）ずつとしたが、本発明はその数に何ら特定されるものではなく、接着面積が広くて十分な接合強度が得られる場合は一箇所であってもよい。
【００７８】
また、上記実施の形態においては、花卉１１の搬送時に花卉用梱包箱１５を立てた状態で搬送する場合について示したが、本発明はこれに限らず、ガゼット袋１３内に注水される水１４の量によっては上向きまたは横向きに倒した状態で搬送することも可能である。
【００７９】
さらに、上記した実施の形態においては、注水口用切断線２２をＴ字状に形成したが、これに限らずＹ字状、Ｖ字状等であってもよく、また天部側封止部１６の中央の一点より放射状に広がる複数本の切断線であってもよい。その場合、放射状に広がる切断線の長さを全て等しくすると円形の注水口とすることができる。
【図面の簡単な説明】
【００８０】
【図１】本発明に係る花卉搬送用容器を花卉用梱包箱に組込み、花卉を収容した状態を示す外観斜視図である。
【図２】同花卉用梱包箱の内部を示す正面図である。
【図３】花卉搬送用容器の不使用時の状態を示す斜視図である。
【図４】同花卉搬送用容器の使用時の状態を示す外観斜視図である。
【図５】ガゼット袋の拡開した状態を示す外観斜視図である。
【図６】同ガゼット袋の折り畳んだ状態の一部を破断して示す外観斜視図である。
【図７】容器本体の平面状に展開した状態を示す外観斜視図である。
【図８】花卉搬送用容器の組立手順を説明するための図である。
【図９】花卉搬送用容器の組立手順を説明するための図である。
【図１０】花卉搬送用容器の組立手順を説明するための図である。
【図１１】ガゼット袋の製造工程を説明するための平面図である。
【図１２】図１１のＡ−Ａ線断面図である。
【図１３】図１１のＢ−Ｂ線断面図である。
【図１４】図１１のＣ−Ｃ線断面図である。
【図１５】本発明の他の実施の形態に係る花卉搬送用容器を花卉用梱包箱に収納した状態を示す外観斜視図である。
【図１６】同搬送用容器の使用時の状態を示す外観斜視図である。
【符号の説明】
【００８１】
１…花卉用梱包箱、１０…花卉搬送用容器、１１…花卉、１３…ガゼット袋、１３Ａ…表面側フィルム、１３Ｂ…裏面側フィルム、１３Ｃ，１３Ｄ…ガゼット折り込み部、１４…水、１５…容器本体、１５Ａ…蓋部、１５Ｂ，１５Ｃ…支持脚部、１５Ｄ…耳部、１６…天部側封止部、１７…底部側封止部、２１…注水口、２２…注水口用切断線、２２ａ，２２ｂ…ミシン目線、２５…開口部、２６〜２８…山折り部、３７ａ〜３７ｅ、３８ａ〜３８ｅ…接着部。
【図１】
2008137721.tif 000003
【図２】
2008137721.tif 000004
【図３】
2008137721.tif 000005
【図４】
2008137721.tif 000006
【図５】
2008137721.tif 000007
【図６】
2008137721.tif 000008
【図７】
2008137721.tif 000009
【図８】
2008137721.tif 000010
【図９】
2008137721.tif 000011
【図１０】
2008137721.tif 000012
【図１１】
2008137721.tif 000013
【図１２】
2008137721.tif 000014
【図１３】
2008137721.tif 000015
【図１４】
2008137721.tif 000016
【図１５】
2008137721.tif 000017
【図１６】
2008137721.tif 000018